(57)【要約】【課題】装飾表示部として装飾のユニークさを十分に醸し出すことができる表示装置を得る。【解決手段】一端部分に第１反射面１０ａ、他端部分に第２反射面１０ｂをそれぞれ有し、飾り発光するための飾りＬＥＤ９からの光を異なる２方向で装置外に出射させるプリズム１０を備える。このプリズム１０を備えることで、反射板を用いて光を１方向にのみ誘導する場合と比較して装飾のユニークさを十分に醸し出すことが可能となる。また、プリズム１０の他端部の光出射部分に乳白印刷１４を設けることで、プリズム１０の他端部の光出射部分から出射する光を拡散させることができ、装飾のユニークさをさらに醸し出すことが可能となる。また、プリズム１０とフレーム２との間に防水用のパッキン１３を介在させることで、装置内部への雨水等の液体の進入を防ぐことができる。【選択図】図２
2009139717.tif 000002
【特許請求の範囲】
【請求項１】
情報を発光表示するための多数の主発光源と、
飾り発光するための少なくとも１つの飾り発光源と、
前記飾り発光源からの光を少なくとも１つの光導路で装置から突出するように誘導する光誘導部材と、
を備えた表示装置。
【請求項２】
筐体と前記光誘導部材との間に設けられる防水部材を備えた請求項１に記載の表示装置。
【請求項３】
前記光誘導部材は、光出射部分に少なくとも１つの光拡散部を有する請求項１又は請求項２に記載の表示装置。
【請求項４】
前記光誘導部材は、前記光導路上に少なくとも１つの反射部を有する請求項１乃至請求項３のいずれか一項に記載の表示装置。
【請求項５】
前記光誘導部材は、前記光導路上に少なくとも１つの光漏れ部を有する請求項１乃至請求項４のいずれか一項に記載の表示装置。
【請求項６】
前記光誘導部材の一部分に設けられ、誘導された光を反射する反射部材を備えた請求項１乃至請求項５のいずれか一項に記載の表示装置
【請求項７】
前記光誘導部材は、プリズムである請求項１乃至請求項６のいずれか一項に記載の表示装置。
【発明の詳細な説明】
【技術分野】
【０００１】
本発明は、電球やＬＥＤ(Light Emitting Diode:発光ダイオード)発光素子等の発光源を使用して情報を発光表示する表示装置に関し、特に情報を発光表示する主表示の他に飾り表示を行う表示装置に関する。
【背景技術】
【０００２】
従来、電球やＬＥＤ発光素子を使用した表示装置の看板が知られている。この種の表示装置には、情報を発光表示する主表示の他に飾り表示を行うものがある（例えば、特許文献１、特許文献２参照）。
【０００３】
特許文献１で開示された電光表示装置では、装飾用光源の発光ダイオードの前方に反射板を傾斜配置し、発光ダイオードからの光を反射して筐体設けた開口部から出射するようにしている。
【０００４】
特許文献２で開示された表示装置では、装置本体の厚みを厚くすることなく、回折格子フィルムから十分に拡散した回折像が得られるように、装飾用光源の発光ダイオードを横方向に配置すると共に該発光ダイオードと回折格子フィルムとの間に反射板を配置して、発光ダイオードと回折格子フィルム間の距離を稼ぐようにしている。
【０００５】
【特許文献１】特開２００５−２１５３９２号公報
【特許文献２】特開２００５−０８４１５３号公報
【発明の開示】
【発明が解決しようとする課題】
【０００６】
特許文献１の電光表示装置は、装飾用光源の発光ダイオードからの光を反射板で反射させて装置外に出射させるのみであり、装飾のユニークさの点で不十分である。
特許文献２の表示装置は、装飾用光源の発光ダイオードからの光を回折格子フィルムで回折させるようにしている分、装飾のユニークさがあり、特許文献１の表示装置よりは勝っていると言えるが、それでもまだ不十分である。
いずれにしても、特許文献１の電光表示装置においても、特許文献２の表示装置においても、筐体内部又は筐体表面での装飾であり、装飾のユニークさの点で不十分である。
【０００７】
本発明は係る事情に鑑みてなされたものであり、装飾表示のユニークさを十分に醸し出すことができる表示装置を提供することを目的とする。
【課題を解決するための手段】
【０００８】
本発明の表示装置は、情報を発光表示するための多数の主発光源と、飾り発光するための少なくとも１つの飾り発光源と、前記飾り発光源からの光を少なくとも１つの光導路で装置から突出するように誘導する光誘導部材とを備えた。
【０００９】
上記構成によれば、筐体内部の飾り発光源からの光を少なくとも１つの光導路によって筐体から突出するように外部へ誘導するので、反射板を用いて筐体から突出するように誘導する場合と比較して光を誘導する方向を自由に設定することができ、装飾のユニークさを十分に醸し出すことが可能となる。
【００１０】
また、上記構成において、筐体と前記光誘導部材との間に設けられる防水部材を備えた。
【００１１】
上記構成によれば、光誘導部材の一部を筐体外に出すことによる雨水等の浸入を防止することができる。
【００１２】
また、上記構成において、前記光誘導部材は、光出射部分に少なくとも１つの光拡散部を有する。
【００１３】
上記構成によれば、光誘導部材の光出射部分から出射する光を拡散させるので、装飾のユニークさをさらに醸し出すことが可能となる。
【００１４】
また、上記構成において、前記光誘導部材は、前記光導路上に少なくとも１つの反射部を有する。
【００１５】
上記構成によれば、光誘導部材内での光導路を任意の方向に設定することができ、装飾のユニークさを醸し出すことが可能となる。
【００１６】
また、上記構成において、前記光誘導部材は、前記光導路上に少なくとも１つの光漏れ部を有する。
【００１７】
上記構成によれば、光誘導部材の光出射部分以外から光を出射することができ、装飾のユニークさを醸し出すことが可能となる。
【００１８】
また、上記構成において、前記光誘導部材の一部分に設けられ、誘導された光を反射する反射部材を備えた。
【００１９】
上記構成によれば、光誘導部材の反射部の反射率が低い場合にそれを補うことができ、光漏れを回避できる。
【００２０】
また、上記構成において、前記光誘導部材は、プリズムである。
【発明の効果】
【００２１】
本発明は、筐体内部の飾り発光源からの光を少なくとも１つの光導路によって筐体から突出するように外部へ誘導するので、装飾表示のユニークさを十分に醸し出すことができ、高い注意喚起力を実現できる。
【発明を実施するための最良の形態】
【００２２】
以下、本発明を実施するための好適な実施の形態について、図面を参照して詳細に説明する。
【００２３】
図１は、本発明の一実施の形態に係る表示装置の概観を示す斜視図、図２は図１の表示装置の内部機構の一部を示す図、図３は図１の表示装置の内部機構を省略した縦断面図である。図１〜図３において、本実施の形態の表示装置１は、方形状に形成されたフレーム２と、光透過性を有する内側表示パネル３と、光透過性を有する外側表示パネル４と、外側表示パネル４をフレーム２に固定する化粧ビス５と、多数の表示ＬＥＤ（主発光源）７を碁盤目状に実装したＬＥＤ基板６と、ＬＥＤ基板６等を固定するシャーシ８と、ＬＥＤ基板６の周縁部に実装された飾りＬＥＤ（飾り発光源）９と、飾りＬＥＤ９からの光を装置外に取り出すためのプリズム（光誘導部材）１０と、飾りＬＥＤ９からの光が表示ＬＥＤ７側へ漏洩するのを防止する目隠しシート１１と、プリズム１０の一方の端部の端面（以下、第１反射面と呼ぶ）１０ａに貼り付けられた反射シート（反射部材）１２と、プリズム１０とフレーム２との間に介挿された防水用のパッキン（防水部材）１３と、プリズム１０の他方の端部の上面に形成された乳白印刷（光拡散部）１４と、ＬＥＤ基板６に実装された多数の表示ＬＥＤ７と飾りＬＥＤ９の点灯制御を行うコントロールユニット１５（図３参照）とを備える。
【００２４】
内側表示パネル３及び外側表示パネル４は、ともにフレーム２に固定される。この場合、内側表示パネル３が装置内部側に配置され、外側表示パネル４が内側表示パネル３より外側に配置される。外側表示パネル４は、内側表示パネル３よりも僅かに大きく形成されており、内側表示パネル３を保護している。内側表示パネル３及び外側表示パネル４は、表示装置１の両面それぞれに設けられる。シャーシ８はフレーム２に固定され、上述したようにＬＥＤ基板６等を固定する。ＬＥＤ基板６は、図３に示すように表示装置１の両面それぞれに設けられる。プリズム１０は、表示ＬＥＤ７のＬＥＤ基板６における実装位置と略同位置でシャーシ８に固定される。
【００２５】
プリズム１０は、両方の端面が同方向（図面に向かって右斜め方向）に傾斜しており、そのうち装置内部側の端面が上述した第１反射面１０ａで、装置外部側の端面が第２反射面１０ｂである。プリズム１０は、装置本体の両側面それぞれに配置される。なお、図１のプリズム１０は右側面に配置されたものである。プリズム１０の第１反射面１０ａ及び第２反射面１０ｂは、ともに反射率を１００％未満にして透過光の存在を許容している。すなわち、第１反射面１０ａ及び第２反射面１０ｂは、反射部と光漏れ部の両方の機能を有することになる。
【００２６】
本実施の形態では、飾りＬＥＤ９から出射された光を装置外部に導き出すため、プリズム１０の第１反射面１０ａで反射するように反射シート１２を設けており、第１反射面１０ａと反射シート１２で反射した光は装置外部に導かれ、その一部がそのまま直進して出射し、残りが９０度偏向して出射する。
【００２７】
間隠しシート１１は、プリズム１０とＬＥＤ基板６との間に設けられ、その一部分が反射シート１２を介してプリズム１０の第１の反射面１０ａに密着している。プリズム１０の他方の端部の上面に形成された乳白印刷１４は、プリズム１０の第２反射面１０ｂで反射した光を拡散して柔らかな光に変える。
【００２８】
このような構成において、飾りＬＥＤ９から出射した光は、プリズム１０に入射し、第１反射面１０ａ及び反射シート１２で反射し、プリズム１０の第２反射面１０ｂに向かって誘導される。そして、第２反射面１０ｂに至ると、そこで反射した分が乳白印刷１４によって拡散されて外側へ出射し、そこで透過した分はそのままの方向でプリズム１０から外側へ出射する。すなわち、反射部として、誘導されてきた光を反射し、また光漏れ部として、誘導されてきた光をそのまま出射する。このように、飾りＬＥＤ９からの光を異なる２方向で装置外に出射させる。
【００２９】
このように本実施の形態の表示装置１によれば、飾りＬＥＤ９からの光を異なる２方向で装置外に出射させるプリズム１０を備えたので、筐体内部の光を筐体外部に誘導することができ、反射板を用いて光を１方向にのみ誘導する場合と比較して装飾のユニークさを十分に醸し出すことが可能となる。また、プリズムの形状を適宜変えることで光を導く方向を自由に設定することができる。なお、第２反射面１０ｂに反射シートを設けたり乳白印刷を施すようにしてもよい。この場合、本実施の形態と同等あるいは、より大きな効果が得られる。
【００３０】
また、プリズム１０とフレーム２との間に防水用のパッキン１３を介在させたので、装置内部への雨水等の液体の進入を防ぐことができる。
【００３１】
なお、上記実施の形態では、プリズム１０の一端部を反射シート１２で覆い、かつ目隠しシート１１で表示ＬＥＤ７側に飾りＬＥＤ９からの光が漏れないようにしたが、反射シート１２を省き、目隠しシート１１を表示ＬＥＤ７寄りに配置することで、飾りＬＥＤ９からの光の一部をプリズム１０の一端部を透過させるようにしても良い。このようにすると、飾りＬＥＤ９からの光を３方向に分岐させることができ、２分岐の場合よりも更にユニークさを醸し出すことが可能となる。
【００３２】
また、上記実施の形態では、全体を棒状とし、両端面を同方向に傾斜させたプリズム１０を用いたが、飾りＬＥＤ９からの光を装置外部へ導く手段として様々な形態が考えられる。以下、その形態を挙げる。
【００３３】
（１）図４に示すプリズム２０は、プリズム１０と同様の形状を成すとともに、他端部分の上面に複数の彫刻（光拡散部）２１を形成して光を拡散させるようにしたものである。
（２）図５に示すプリズム３０は、図４に示すプリズム２０と同様に、他端部分の上面に複数の凹部（光拡散部）３１を形成して光を拡散させるようにしたものである。
【００３４】
（３）図６に示すプリズム４０は、一端部分の形状がプリズム１０の一端部分と同様の形状を成すが、他端部分に２つの突起部４１ａ、４１ｂを形成したものである。これらの突起部４１ａ、４１ｂの先端面はプリズム１０の他端部の面と同様に傾斜しており、第２反射面となっている。これらの突起部４１ａ、４１ｂを含むプリズム４０の他端部から光が出射する。
（４）図７に示すプリズム５０は、一端部分の形状がプリズム１０の一端部分と同様の形状を成すが、他端部分が弧を描くように丸みを帯びた形状にしたものである。この他端部分から弧を描くようにして光が出射する。
【００３５】
（５）図８に示すプリズム６０は、一端部分の形状がプリズム１０の一端部分と同様の形状を成すが、他端部分が人間の手の指のような形状で６つに分岐させたものであり、各分岐部６１から光が出射する。
【００３６】
（６）上記したプリズム２０、３０、４０、５０、６０の各一端部分の形状がプリズム１０と同様に傾斜しているが、図９、図１０、図１１、図１３、図１４に示すプリズム７０、８０、９０、１００、１１０は、各一端の先端面を直角に形成したものである。これらのプリズム７０、８０、９０、１００、１１０は、一端側の面に対向して飾りＬＥＤ９を近接配置できるので、装置の薄型化が可能となる。図９に示すプリズム７０は、他端部分をプリズム１０の他端部分と同様に傾斜しており、第２反射面となっている。図１０に示すプリズム８０は、他端部分を断面三角状にして反射面を２つにし、飾りＬＥＤ９からの光を２方向に分岐させる。図１１に示すプリズム９０は、図１２の斜視図に示すように、他端部分を２つの部分に分けて反射面の方向を逆にしたものであり、飾りＬＥＤ９からの光を上下２方向に分岐させる。図１３に示すプリズム１００は、Ｊ字状に形成したものであり、飾りＬＥＤ９からの光を装置本体の上方に導く。図１４に示すプリズム１１０は、断面Ｙ字状に形成したものであり、飾りＬＥＤ９からの光を２方向に分岐させる。
【００３７】
（７）図１５、図１６、図１８、図１９に示すプリズム１２０、１３０、１５０、１６０は、一端部分をフレーム２の面に密着させて固定したものである。その密着部分のフレーム２側の面には光を通過させる孔が開けられている。この場合、説明するまでもないが、当該孔の大きさは各プリズム１２０、１３０、１５０、１６０の一端部分の径より小さくなっている。図１５に示すプリズム１２０は、他端部分を前述したプリズム１０の他端部分と同様の形状にしたものである。図１６に示すプリズム１３０には、反射板１３１で反射させた飾りＬＥＤ９からの光が入射する。なお、図１７に示すプリズム１４０は、図１６に示すプリズム１３０の応用例であり、他端部分の端面に丸みを持たせたものである。図１８に示すプリズム１５０は、プリズム１０と同様の形状に形成したものであり、一端部をフレーム２の上面に固定して飾りＬＥＤ９からの光を装置本体の上方に導く。
【００３８】
図１９に示すプリズム１６０は、一端端部と他端部が互いに逆向きなるように丸みを持たせて曲げた略Ｓ字状に形成したものであり、飾りＬＥＤ９からの光を装置本体の上方に導く。なお、図２０に示すプリズム１７０は、図１９に示すプリズム１６０の応用例である。このプリズム１６０は、一端端部と他端部が互いに逆向きなるように直角に曲げた形状に形成したものであり、一端部をフレーム２の上面に固定して飾りＬＥＤ９からの光を装置本体の上方に導く。
【００３９】
以上、様々な形態を挙げたが、これらの形状に限定されるものではなく、飾りＬＥＤ９からの光を少なくとも１つの光導路で装置外に導くことができれば、どのような形状であっても構わない。
【産業上の利用可能性】
【００４０】
本発明は、装飾表示部として装飾のユニークさを十分に醸し出すことができるといった効果を有し、看板用としての表示装置への適用が可能である。
【図面の簡単な説明】
【００４１】
【図１】本発明の一実施の形態に係る表示装置の概観を示す斜視図
【図２】図１の表示装置の内部機構の一部を示す図
【図３】図１の表示装置の内部機構を省略した縦断面図
【図４】図１の表示装置に用いられるプリズムの他の形態を示す図
【図５】図１の表示装置に用いられるプリズムの他の形態を示す図
【図６】図１の表示装置に用いられるプリズムの他の形態を示す図
【図７】図１の表示装置に用いられるプリズムの他の形態を示す図
【図８】図１の表示装置に用いられるプリズムの他の形態を示す図
【図９】図１の表示装置に用いられるプリズムの他の形態を示す図
【図１０】図１の表示装置に用いられるプリズムの他の形態を示す図
【図１１】図１の表示装置に用いられるプリズムの他の形態を示す図
【図１２】図１１のプリズムの斜視図
【図１３】図１の表示装置に用いられるプリズムの他の形態を示す図
【図１４】図１の表示装置に用いられるプリズムの他の形態を示す図
【図１５】図１の表示装置に用いられるプリズムの他の形態を示す図
【図１６】図１の表示装置に用いられるプリズムの他の形態を示す図
【図１７】図１６のプリズムの応用例を示す図
【図１８】図１の表示装置に用いられるプリズムの他の形態を示す図
【図１９】図１の表示装置に用いられるプリズムの他の形態を示す図
【図２０】図１９のプリズムの応用例を示す図
【符号の説明】
【００４２】
１  表示装置
２  フレーム
３  内側表示パネル
４  外側表示パネル
５  化粧ビス
６  ＬＥＤ基板
７  表示ＬＥＤ
８  シャーシ
９  飾りＬＥＤ
１０、２０、３０、４０、５０、６０、７０、８０、９０、１００、１１０、１２０、１３０、１４０、１５０、１６０、１７０  プリズム
１０ａ  第１反射面
１０ｂ  第２反射面
１１  目隠しシート
１２  反射シート
１３  パッキン
１４  乳白印刷
１５  コントロールユニット
【図１】
2009139717.tif 000003
【図２】
2009139717.tif 000004
【図３】
2009139717.tif 000005
【図４】
2009139717.tif 000006
【図５】
2009139717.tif 000007
【図６】
2009139717.tif 000008
【図７】
2009139717.tif 000009
【図８】
2009139717.tif 000010
【図９】
2009139717.tif 000011
【図１０】
2009139717.tif 000012
【図１１】
2009139717.tif 000013
【図１２】
2009139717.tif 000014
【図１３】
2009139717.tif 000015
【図１４】
2009139717.tif 000016
【図１５】
2009139717.tif 000017
【図１６】
2009139717.tif 000018
【図１７】
2009139717.tif 000019
【図１８】
2009139717.tif 000020
【図１９】
2009139717.tif 000021
【図２０】
2009139717.tif 000022